(57)【要約】【課題】点灯装置が発生した熱を効率よく放熱する。【解決手段】点灯装置ケース１１０は、外装部１１７と点灯装置取付部１１５とを有する。外装部１１７は、点灯装置１４０を覆って外気の進入を防ぐとともに、点灯装置取付部１１５が有する熱を外気に対して放熱する。点灯装置取付部１１５は、外装部１１７と一体成形したものであり、外装部１１７の内側に位置し、点灯装置１４０と密接する取付面１５１を介して点灯装置１４０が発生した熱を伝導により吸収する。【選択図】図３
2008084639.tif 000002
【特許請求の範囲】
【請求項１】
点灯装置を覆って外気の進入を防ぐとともに、点灯装置取付部が有する熱を外気に対して放熱する外装部と、
上記外装部と一体成形したものであり、上記外装部の内側に位置し、上記点灯装置と密接する取付面を介して上記点灯装置が発生した熱を伝導により吸収する点灯装置取付部と、
を有することを特徴とする点灯装置ケース。
【請求項２】
上記点灯装置取付部は、
上記取付面が上記点灯装置ケースの中心方向を向き、上記取付面の裏側に設けたリブ部により上記外装部と接続している
ことを特徴とする請求項１に記載の点灯装置ケース。
【請求項３】
上記点灯装置ケースは、更に、蓋部を有し、
上記外装部は、略中空筒状であり、上部に開口部を有し、
上記蓋部は、上記外装部の上部に位置し、上記外装部の開口部を覆って、外気の進入を防ぐ
ことを特徴とする請求項１または請求項２に記載の点灯装置ケース。
【請求項４】
上記点灯装置取付部は、上記外装部の中の空間を複数の空間に分割し、
上記蓋部は、上記点灯装置取付部によって分割された空間のうち、上記点灯装置が存しない空間内の空気を排出する通気孔を有する
ことを特徴とする請求項３に記載の点灯装置ケース。
【請求項５】
上記点灯装置ケースは、互いに対向する２つのケース部品を有し、
上記ケース部品は、押出し成形したものであり、半円筒部と平面部とを有し、
上記半円筒部は、略中空半円筒状であり、対向する他のケース部品の半円筒部と組み合わさることにより上記外装部をなし、
上記平面部は、略平面状であり、上記半円筒部の内側に位置し、上記点灯装置取付部の取付面をなす
ことを特徴とする請求項１乃至請求項４のいずれかに記載の点灯装置ケース。
【請求項６】
請求項１乃至請求項５のいずれかに記載の点灯装置ケースと、
上記点灯装置ケースに取り付けられ、ランプを点灯させる点灯装置と、
を備えることを特徴とする照明器具。
【請求項７】
上記照明器具は、吊り下げ式であることを特徴とする請求項６に記載の照明器具。
【発明の詳細な説明】
【技術分野】
【０００１】
この発明は、放電灯などを点灯する点灯装置を収納する点灯装置ケース及びそれを用いた照明器具に関する。
【背景技術】
【０００２】
高出力の照明器具においては、インバータ回路などの点灯装置における発熱が大きく、これを如何に放熱するかが課題となる。
特に、吊り下げ式の照明器具においては、セードの上部に点灯装置を収納する点灯装置ケースを設けることが一般的である。
例えば、点灯装置ケースの側面に放熱孔を設けて、熱を逃がす構造としている技術がある。
また、点灯装置ケース自体をパンチングメタルなど多数の穴が空いた材料で形成し、熱を逃がすことも行われている。
【特許文献１】特開２００４−５５３９８号公報
【発明の開示】
【発明が解決しようとする課題】
【０００３】
点灯装置ケースの側面に放熱孔を設け、そこから空気を吸排気することにより熱を逃がす方式は、放熱の効率が悪い。
また、放熱孔からゴミや埃などが進入するので、点灯装置に付着して故障などの原因となる場合がある。
更に、製造過程において、放熱孔を設ける工程が必要となるなど、工数が増え、製造コストが高くなる。
この発明は、例えば、上記のような課題を解決するためになされたものであり、放熱効率のよい点灯装置ケースを得ることを目的とする。
【課題を解決するための手段】
【０００４】
この発明にかかる点灯装置ケースは、
外装部と、点灯装置取付部とを有し、
上記外装部は、点灯装置を覆って外気の進入を防ぐとともに、上記点灯装置取付部が有する熱を外気に対して放熱し、
上記点灯装置取付部は、上記外装部と一体成形したものであり、上記外装部の内側に位置し、上記点灯装置と密接する取付面を介して上記点灯装置が発生した熱を伝導により吸収することを特徴とする。
【発明の効果】
【０００５】
この発明にかかる点灯装置ケースによれば、点灯装置取付部が点灯装置と密接する取付面を介して、点灯装置が発生した熱を伝導により吸収し、点灯装置取付部と一体成形された外装部が、点灯装置取付部が吸収した熱を外気に対して放熱するので、効率よく放熱することができるという効果を奏する。
【発明を実施するための最良の形態】
【０００６】
実施の形態１．
実施の形態１を、図１〜図６を用いて説明する。
【０００７】
図１は、この実施の形態における照明器具１００の外観を示す一部破断斜視図である。
照明器具１００は、点灯装置ケース１１０、セード１２０、放電灯１３０、吊り下げチェーン１８０を有する。
この実施の形態における照明器具１００は、吊り下げ式の照明器具（ペンダント）であり、吊り下げチェーン１８０により、天井などから吊り下げて使用する。
【０００８】
点灯装置ケース１１０は、セード１２０の上部に位置し、照明器具１００を取り付けたた室内から視認できる。
点灯装置ケース１１０は、放電灯１３０を点灯するための点灯装置１４０（インバータ回路）を内部に有する。点灯装置ケース１１０は、点灯装置１４０を覆って外気の進入を防ぐことにより、点灯装置１４０にゴミや埃などが付着しないよう保護する。また、点灯装置ケース１１０は、点灯装置１４０で発生した熱を外部に放熱する。
【０００９】
図２は、この実施の形態における照明器具１００の内部構造を示す断面正面図である。
なお、配線等は省略している。
この実施の形態における照明器具１００は、放電灯１３０を二つ有し、それに対応してて、点灯装置１４０も二つ有している。それぞれの点灯装置１４０は、それぞれ対応する放電灯１３０を点灯するためのものである。
【００１０】
点灯装置１４０は、点灯装置ケース１１０内部にネジ止めされ、点灯装置ケース１１０と密接している。点灯装置１４０は、点灯装置ケース１１０の内側向き（点灯装置ケース１１０と密着する面（インバータ取付面）が外側となるよう）に取り付けられる。
【００１１】
点灯装置ケース１１０は、蓋部１１１、点灯装置取付部１１５、外装部１１７を有する。
外装部１１７は、略中空円筒状であり、外部から視認できる部分である。
点灯装置取付部１１５は、外装部１１７の内側に位置する。点灯装置取付部１１５の取付面に点灯装置１４０を取り付けることにより、点灯装置１４０と密接し、点灯装置１４０で発生した熱を吸収する。
蓋部１１１は、外装部１１７の上部に位置し、略円盤状である。外装部１１７が中空円筒状で上部に開口部があるため、開口部から外気（ゴミ・埃）が進入するのを防ぐ。
【００１２】
図３は、この実施の形態における照明器具１００のうち、点灯装置ケース１１０の内部を示す分解平面図である。
この図は、図２の蓋部１１１を外した状態を、Ａ方向から見たものである。なお、図２と同様、配線等は省略している。
【００１３】
点灯装置ケース１１０は、二つのケース部品２００を有する。二つのケース部品２００は同じ形状であり、対向して組み合わせることにより、点灯装置ケース１１０をなす。
２つの点灯装置１４０は、それぞれ異なるケース部品２００に取り付ける。
【００１４】
外装部１１７は、外装面１７１、溝部１７２、嵌合部１７３を有する。
外装面１７１は、外装部１１７のなかでも外部から視認できる部分であり、略円筒状である。
溝部１７２は、外装面１７１に設けられた装飾的な溝である。溝部１７２は、外装面１７１に、点灯装置ケース１１０の中心方向にへこんだ溝を平行して二本設けたものであり、断面の形状が弓字状である。溝部１７２は、点灯装置ケース１１０の中心線に対して対称な位置に２つ設けられている。溝部１７２には、装飾的な効果のほか、外装部１１７が外気に触れる面積を広くする効果があり、これにより、点灯装置ケース１１０の放熱効率が高くなる。
嵌合部１７３は、二つのケース部品２００が嵌合する部分であり、外見上、溝部１７２と同じに見える。これにより、嵌合部１７３が目立たなくなるだけでなく、溝部１７２と嵌合部１７３とが９０度間隔で並ぶことになるので、意匠性も優れるという効果を奏する。
【００１５】
点灯装置取付部１１５は、取付面１５１、スリット部１５２、リブ部１５３，１５４を有する。
取付面１５１は、略平面状であり、点灯装置１４０を取り付ける部分である。取付面１５１は、点灯装置ケース１１０の中心方向を向いている。取付面１５１は、点灯装置１４０の裏面とほぼ同じ面積・形状であり、点灯装置１４０の裏面と密接することにより、点灯装置１４０の内部で発生した熱を伝導により吸収する。
【００１６】
スリット部１５２は、取付面１５１上に設けられたスリット状の溝であり、断面形状がΩ字状である。スリット部１５２は、点灯装置１４０をネジ１４１により固定するためのネジ穴として機能する。また、スリット部１５２は、図に対して垂直方向からもネジを挿すことができ、蓋部１１１を固定するためのネジ穴の役割も兼ねる。スリット部１５２は、１つの取付面１５１上に平行して三本設けられている。これは、点灯装置１４０により取付用ネジ穴の位置が異なる場合があり、点灯装置１４０の種類にかかわらず固定できるようにするためであり、スリット部１５２は二本または一本でも構わない。
なお、ネジ１４１には、タッピングネジを用いる。これにより、スリット部１５２にねじ山を切る手間を省くことができる。
【００１７】
リブ部１５３，１５４は、取付面１５１の裏側に設けられた部分であり、外装部１１７と接続している。リブ部１５３，１５４は、取付面１５１を固定するとともに、取付面１５１が点灯装置１４０から吸収した熱を外装部１１７に伝える役割を果たす。
点灯装置ケース１１０の中の空間は、点灯装置取付部１１５の取付面１５１に面し、点灯装置１４０がある空間Ｂと、点灯装置取付部１１５のリブ部１５３，１５４と外装部１１７とに囲まれた空間Ｃとに分割される。
【００１８】
図４は、この実施の形態における照明器具１００のうち、点灯装置ケース１１０の内部構造の詳細を示す分解斜視図である。
この図では、１つのケース部品２００及びそれに取り付ける点灯装置１４０を示している。点灯装置ケース１１０は、これと対向するもう一つのケース部品２００を有し、二つのケース部品２００が組み合わさることにより、点灯装置ケース１１０を形成する。
【００１９】
ケース部品２００の材料は、アルミニウムまたはアルミニウム合金であることが好ましい。照明器具１００は、吊り下げ式であることから、重量を軽くしたいという要請があり、比重の軽い材料が好ましいからである。また、アルミニウムは、熱伝導率が鉄などと比較して高いので、放熱効果を高くする面から見ても好ましい。
【００２０】
ケース部品２００は、押出し成形により成形することが好ましい。押出し成形は、ダイキャスト成形などと比較して製造コストが安く、大量生産が可能だからである。また、押出し成形により、点灯装置取付部１１５、外装部１１７に囲まれた中空部分Ｃを有する形状を一体に成形することができるので、組み立ての手間がかからない。また、一体成形することにより、熱伝導効率が高くなるという効果もある。
更に、ダイキャストなどにより成形する場合と比較して、薄肉構造が可能となるので、材料を節約することができ、製造コストを低く抑え、点灯装置ケース１１０の重量を軽くすることができる。
【００２１】
そのため、ケース部品２００は押出し成形に特に適した形状を有している。すなわち、ケース部品２００は、水平面で切断した断面が一定の形状である。このため、押出し成形した材料を切断するだけで、ケース部品２００を製造することができる。
【００２２】
ケース部品２００は、平面部２５１、スリット部２５２、リブ部２５３，２５４、半円筒部２７１、溝部２７２、嵌合凸部２７８、嵌合凹部２７９を有する。
【００２３】
平面部２５１は、略平面状である。平面部２５１は、点灯装置１４０を取り付ける部分であり、組み立て後、点灯装置ケース１１０の点灯装置取付部１１５の取付面１５１となる。
スリット部２５２は、点灯装置取付部１１５のスリット部１５２に対応する部分である。
リブ部２５３，２５４はそれぞれ、点灯装置取付部１１５のリブ部２５３，２５４に対応する部分である。
【００２４】
半円筒部２７１は、略中空半円筒状である。半円筒部２７１は、もう一つのケース部品２００と組み合わせると、全体として円筒状になり、点灯装置ケース１１０の外装部１１７となる。
溝部２７２は、外装部１１７の溝部１７２に対応する部分である。
嵌合凸部２７８はツメ状である。嵌合凹部２７９は溝状である。嵌合凸部２７８と嵌合凹部２７９とは、互いに嵌合することにより、二つのケース部品２００がずれないように位置決めされる。嵌合凸部２７８と嵌合凹部２７９とが嵌合して、外装部１１７の嵌合部１７３となる。
【００２５】
図５は、この実施の形態におけるケース部品２００の嵌合凸部２７８と、もう一つのケース部品２００の嵌合凹部２７９とが嵌合する様子を示す部分拡大平面図である。
【００２６】
嵌合凸部２７８は、半円筒部２７１の一端に位置している。嵌合凸部２７８は、嵌合凸基部２８１、嵌合凸先端部２８２を有する。
嵌合凸基部２８１は、半円筒部２７１の一端を半径方向内側へ折り曲げた形状である。
嵌合凸先端部２８２は、嵌合凸基部２８１の更に先端を元の方向へ折り曲げて、全体としてクランク状の形状としたものである。
【００２７】
嵌合凹部２７９は、半円筒部２７１の反対側の一端に位置している。嵌合凹部２７９は、嵌合凹基部２９１、嵌合凹支持部２９２、嵌合凹外側挟持部２９３、嵌合凹内側挟持部２９４を有する。
嵌合凹基部２９１は、嵌合凸基部２８１と同様に、半円筒部２７１の一端を半径方向内側へ折り曲げた形状である。
嵌合凹支持部２９２は、嵌合凸先端部２８２と同様に、嵌合凹基部２９１の更に先端を元の方向へ折り曲げて、全体としてクランク状の形状としたものである。
嵌合凹支持部２９２の先端は、更に二つに分かれ、嵌合凹外側挟持部２９３と嵌合凹内側挟持部２９４となる。
嵌合凹外側挟持部２９３は、嵌合凹外側挟持部２９３と嵌合凹内側挟持部２９４とのうち、半径方向外側に位置する部分であり、略コ字状である。
嵌合凹内側挟持部２９４は、嵌合凹外側挟持部２９３と嵌合凹内側挟持部２９４とのうち、半径方向内側に位置する部分である。
嵌合凹外側挟持部２９３と嵌合凹内側挟持部２９４との間に、嵌合凸先端部２８２を差し込むことにより、両者が嵌合し、二つのケース部品２００がずれないよう固定される。
【００２８】
図６は、この実施の形態における点灯装置ケース１１０が、点灯装置１４０で発生した熱を放熱する様子を模式的に示した模式図である。
【００２９】
点灯装置１４０の内部には、スイッチング回路など、動作時に発熱する回路がある。
点灯装置１４０内部で発生した熱は、点灯装置１４０内部を伝導して、点灯装置１４０の表面に伝わる。
点灯装置１４０の表面の一部は、点灯装置取付部１１５の取付面１５１と密接している。また、それ以外の部分は、点灯装置ケース１１０内の空気に触れている。
点灯装置取付部１１５は、アルミニウムなど熱伝導率の高い材料で形成しているので、点灯装置１４０の表面に接した取付面１５１に、点灯装置１４０で発生した熱が伝導により伝わる。取付面１５１の温度は、点灯装置１４０よりも低いので、取付面１５１が点灯装置１４０の熱を吸収する。
【００３０】
取付面１５１が吸収した熱は、リブ部１５３，１５４を介して外装部１１７へ伝わる。
外装部１１７の外装面１７１は外気に触れているので、外装部１１７へ伝わった熱は外気へ放熱される。
外気は暖められることにより対流し、外装面１７１には常に新鮮な（冷たい）外気が触れることになるので、効率よく放熱することができる。
【００３１】
外装面１７１は広い面積で外気と触れるので、放熱の効率がよい。
外装面１７１は、開放した広い空間にある外気と触れるので、特に換気手段を設けなくても、常に新鮮な冷たい外気と接し、放熱の効率がよい。
取付面１５１が点灯装置ケース１１０の中心方向を向いており、取付面１５１の裏側と外装部１１７との間の距離が短い。したがって、リブ部１５３，１５４の長さが短くなり、取付面１５１が吸収した熱が効率よく外装部１１７に伝わる。
点灯装置１４０で発生した熱の大部分を取付面１５１が伝導により吸収し、外装部１１７へ伝えて放熱するので、点灯装置１４０のある空間Ｂ内の空気を換気せずとも、効率よく放熱できる。そのため、空間Ｂ内の空気を換気するための通気孔を設ける必要がない。
このため、通気孔からゴミや埃が進入するのを防ぐことができるので、点灯装置１４０を保護することができる。
また、通気孔を設ける工程を省くことができるので、工数が減少し、製造コストを低く抑えることができる。
また、通気孔がないので、外部から視認した場合の美観が美しく、デザイン性に優れる。
【００３２】
リブ部１５３，１５４は、断面積が広いほうが熱伝導効率が高くなり、放熱効率がよくなる。また、リブ部１５３，１５４の数を増やしても、同様に放熱効率がよくなる。あるいは、空間Ｃをなくし、外装部１１７の一部を肉厚として、点灯装置取付部１１５の取付面１５１を形成することにより、更に放熱効率がよくなる。
しかし、そのような構成とすると、アルミニウムなどの材料を多く使うこととなるので、製造コストが高くなる。また、照明器具１００全体の重量が重くなり、好ましくない。
【００３３】
アルミニウム合金で形成した点灯装置ケース１１０において、点灯装置１４０との接触面積が約１０ｃｍ×１２ｃｍ、リブ部１５３，１５４の断面積が約１．５ｍｍ×１５．５ｃｍ、リブ部１５３の長さが約２．５ｃｍ、リブ部１５４の長さが約０．５ｃｍ、取付面１５１及び外装面１７１の厚さが約１．５ｍｍ、外装面の直径が約１４．５ｃｍ、外装面の高さが約１５．５ｃｍという条件で実験したところ、入力電圧約２４０Ｖの点灯装置１４０で、消費電力約８０Ｗの放電灯１３０を点灯した場合に、点灯装置１４０内部の素子の温度が定格温度内に収まり、良好な放熱効果が得られることが確認できた。
【００３４】
この実施の形態における点灯装置ケース１１０は、外装部１１７と、点灯装置取付部１１５とを有する。
外装部１１７は、点灯装置１４０を覆って外気の進入を防ぐとともに、点灯装置取付部１１５が有する熱を外気に対して放熱する。
点灯装置取付部１１５は、外装部１１７と一体成形したものであり、外装部１１７の内側に位置し、点灯装置１４０と密接する取付面１５１を介して点灯装置１４０が発生した熱を伝導により吸収する。
【００３５】
点灯装置取付部１１５と外装部１１７とが一体成形したものなので、熱伝導効率がよく、点灯装置１４０が発生した熱を効率よく放熱することができる。また、製造コストを低く抑えることができる。
また、点灯装置１４０が発生した熱を外装部１１７へ伝導し、外装部１１７から外気へ直接放熱するので、点灯装置１４０の周りの空間Ｂ内の空気を換気する必要がなく、点灯装置１４０をゴミ・埃などから保護することができる。
【００３６】
この実施の形態における点灯装置取付部１１５は、取付面１５１が点灯装置ケース１１０の中心方向を向き、取付面１５１の裏側に設けたリブ部１５３により外装部１１７と接続している。
【００３７】
取付面１５１が点灯装置ケース１１０の中心方向を向いているので、点灯装置１４０が発生した熱を吸収する取付面１５１とその熱を放熱する外装面１７１との間の距離を短くすることができ、点灯装置１４０が発生した熱を効率よく放熱することができる。
また、取付面１５１の裏側に設けたリブ部１５３により点灯装置取付部１１５が外装部１１７と接続しているので、点灯装置ケース１１０の重量を軽くすることができる。取付面１５１と外装面１７１との間の距離が短いので、リブ部１５３の断面積が比較的小さくても、良好な放熱効率を実現できる。このため、点灯装置ケース１１０の重量を更に軽くすることができる。その結果、材料費を抑えることができるので、製造コストを低く抑えることができる。
【００３８】
この実施の形態における点灯装置ケース１１０は、更に、蓋部１１１を有する。
外装部１１７は、略中空筒状であり、上部に開口部を有する。
蓋部１１１は、外装部１１７の上部に位置し、外装部１１７の開口部を覆って、外気の進入を防ぐ。
【００３９】
蓋部１１１が外装部１１７の上部を覆い、開口部から外気が進入するのを防ぐので、ゴミ・埃などから点灯装置１４０を保護することができる。点灯装置１４０が発生した熱を外装部１１７へ伝導し、外装面１７１から直接放熱するので、点灯装置１４０の周りの空間Ｂ内の空気を換気する必要がなく、蓋部１１１を設けても良好な放熱効率を実現できる。
【００４０】
この実施の形態における点灯装置ケース１１０は、互いに対向する２つのケース部品２００を有する。
ケース部品２００は、押出し成形したものであり、半円筒部２７１と平面部２５１とを有する。
半円筒部２７１は、略中空半円筒状であり、対向する他のケース部品２００の半円筒部２７１と組み合わさることにより外装部１１７をなす。
平面部２５１は、略平面状であり、半円筒部２７１の内側に位置し、点灯装置取付部１１５の取付面１５１をなす。
【００４１】
ケース部品２００が押出し成形したものなので、製造コストを低く抑えることができる。
また、同一形状のケース部品２００を２つ組み合わせることにより、点灯装置ケース１１０を形成するので、異なる形状の部品を製造する必要がなく、製造コストを更に低く抑えることができる。
また、略中空半円筒状の半円筒部２７１を有するケース部品２００を組み合わせて略中空円筒状の外装部１１７をなすので、効率よく放熱することができる。
【００４２】
この実施の形態におけるケース部品２００は、押出し成形に特に適した形状なので、押出し成形した材料を切断するだけでケース部品２００を製造することができ、工数が少なく、製造コストを低く抑えることができる。
【００４３】
この実施の形態におけるケース部品２００は、平面部２５１と、スリット部２５２とを有する。
平面部２５１は、点灯装置１４０の表面と密接する。
スリット部２５２は、点灯装置１４０を固定するためのタッピングネジを挿すネジ穴として機能する。
【００４４】
スリット部２５２がネジ穴として機能するので、ネジ穴を切る工程を省くことができ、製造コストを低く抑えることができる。
また、タッピングネジにより、点灯装置１４０を平面部２５１に固定するので、点灯装置１４０と平面部２５１とを密接させることができ、熱伝導効率がよくなる。
【００４５】
この実施の形態におけるケース部品２００は、更に、溝部２７２と、嵌合凸部２７８と、嵌合凹部２７９とを有する。
嵌合凸部２７８と嵌合凹部２７９とは、互いに嵌合することにより、２つのケース部品２００がずれないように固定し、溝部２７２と同様の外見となる。
これにより、優れた美観を有する点灯装置ケース１１０を得ることができる。
【００４６】
この実施の形態におけるケース部品２００は、アルミニウム及びアルミニウム合金のいずれかを材料とする。
これにより、優れた熱伝導効率を実現でき、また、点灯装置ケース１１０の重量を軽くすることができる。
【００４７】
この実施の形態における照明器具１００は、上述した点灯装置ケース１１０を備える。
これにより、点灯装置１４０が発生した熱を効率よく放熱し、美観上も優れた照明器具１００を得ることができる。
また、このような照明器具１００の製造コストを、低く抑えることができる。
【００４８】
この実施の形態における照明器具１００は、吊り下げ式である。
吊り下げ式の照明器具１００（ペンダント）においては、セード１２０の上部に位置する点灯装置ケース１１０も、室内から視認することができる。したがって、点灯装置ケース１１０に対しても優れたデザイン性が要求される。この実施の形態における照明器具１００は、外装部１１７に通気孔を設ける必要がなく、優れた美観を有する点灯装置ケース１１０を用いているので、このような要請を満足することができ、従来よりも意匠性が向上する。
また、吊り下げ式の照明器具１００においては、照明器具１００の重量を軽くすることも重要な課題である。この実施の形態における照明器具１００は、重量の軽い点灯装置ケース１１０を用いているので、重量を軽くすることができる。
【００４９】
実施の形態２．
実施の形態２について、図７を用いて説明する。
【００５０】
図７は、この実施の形態における点灯装置ケース１１０の蓋部１１１の形状を示す平面図である。
蓋部１１１は、通気孔３１１、ネジ穴３１２、吊り下げチェーン取付部３１３を有する。
通気孔３１１は、点灯装置ケース１１０内部の暖められた空気を排出するための開口部である。この例では、通気孔３１１が対称な位置に四つ設けられている。
ネジ穴３１２は、蓋部１１１を点灯装置取付部１１５にネジ止めするための穴である。この例では、ネジ穴３１２が対称な位置に四つ設けられている。ネジ穴３１２は、点灯装置取付部１１５のスリット部１５２に対応する位置に設けられており、ネジ穴３１２からタッピングネジを挿し込んで、蓋部１１１を固定する。
吊り下げチェーン取付部３１３は、吊り下げチェーン１８０を取り付けるための部分である。
【００５１】
実施の形態１では、通気孔３１１がなくても十分な放熱効果が得られたが、接続されるランプの定格電力が大きいなど点灯装置１４０の出力電力が更に高く、点灯装置１４０の発熱量が多い場合など、外装部１１７の外装面１７１からの放熱だけでは十分でない場合には、蓋部１１１に通気孔３１１を設けてもよい。
【００５２】
蓋部１１１に通気孔３１１を設ける場合、点灯装置ケース１１０内部の空間は、点灯装置取付部１１５により複数の空間に分割されているので、分割された複数の空間のうち、点灯装置１４０が存しない空間Ｃの上部に設けることが好ましい。
これにより、空間Ｃ内の暖められた空気が通気孔３１１から排気され、点灯装置ケース１１０の放熱効率を高くすることができる。一方、点灯装置１４０の周りの空間Ｂ内の空気は換気されないので、点灯装置１４０をゴミ・埃などから保護する効果は、実施の形態１と変わらない。
【００５３】
この実施の形態における点灯装置取付部１１５は、外装部１１７の中の空間を複数の空間Ｂ及びＣに分割する。
蓋部１１１は、点灯装置取付部１１５によって分割された空間Ｂ及びＣのうち、点灯装置１４０が存しない空間Ｃ内の空気を排出する通気孔３１１を有する。
これにより、点灯装置１４０をゴミや埃などから保護しつつ、点灯装置ケース１１０の放熱効率を高くすることができる。
【図面の簡単な説明】
【００５４】
【図１】実施の形態１における照明器具１００の外観を示す一部破断斜視図。
【図２】実施の形態１における照明器具１００の内部構造を示す断面正面図。
【図３】実施の形態１における照明器具１００のうち、点灯装置ケース１１０の内部を示す分解平面図。
【図４】実施の形態１における照明器具１００のうち、点灯装置ケース１１０の内部構造の詳細を示す分解斜視図。
【図５】実施の形態１におけるケース部品２００の嵌合凸部２７８と、もう一つのケース部品２００の嵌合凹部２７９とが嵌合する様子を示す部分拡大平面図。
【図６】実施の形態１における点灯装置ケース１１０が、点灯装置１４０で発生した熱を放熱する様子を模式的に示した模式図。
【図７】実施の形態２における点灯装置ケース１１０の蓋部１１１の形状を示す平面図。
【符号の説明】
【００５５】
１００  照明器具、１１０  点灯装置ケース、１１１  蓋部、１１５  点灯装置取付部、１１７  外装部、１２０  セード、１３０  放電灯、１４０  点灯装置、１４１  ネジ、１４２  ネジ穴、１５１  取付面、１５２  スリット部、１５３，１５４  リブ部、１７１  外装面、１７２  溝部、１７３  嵌合部、１８０  吊り下げチェーン、２００  ケース部品、２５１  平面部、２５２  スリット部、２５３，２５４  リブ部、２７１  半円筒部、２７２  溝部、２７８  嵌合凸部、２７９  嵌合凹部、２８１  嵌合凸基部、２８２  嵌合凸先端部、２９１  嵌合凹基部、２９２  嵌合凹支持部、２９３  嵌合凹外側挟持部、２９４  嵌合凹内側挟持部、３１１  通気孔、３１２  ネジ穴、３１３  吊り下げチェーン取付部。
【図１】
2008084639.tif 000003
【図２】
2008084639.tif 000004
【図３】
2008084639.tif 000005
【図４】
2008084639.tif 000006
【図５】
2008084639.tif 000007
【図６】
2008084639.tif 000008
【図７】
2008084639.tif 000009